(57)【要約】【課題】アンカーボルト等による固定を要さず、パラペットを利用して太陽光パネル設置用架台を容易に屋根の床面に対して固定する。【解決手段】太陽光パネルＰを設置するために用いられる架台１が、下部に備えた脚部６の延出方向が陸屋根１００の床面１０１に沿うように載置される架台本体２と、脚部６の延出方向両端の各々からパラペット１０２に向かって突出したアジャスタ１１と、を有する。アジャスタ１１は、その先端位置が脚部６の延出方向に沿って調整可能となっており、脚部６の延出方向両端の各々から突出したアジャスタ１１のうち、一方のアジャスタの先端位置は、パラペット１０２中、一方のアジャスタ１１と対向する第１対向面１０３を押圧する位置に調整され、他方のアジャスタ１１の先端位置は、床面１０１を挟んで第１対向面１０３とは反対の位置で他方のアジャスタ１１と対向する第２対向面１０４を押圧する位置に調整されている。【選択図】図１
2015155624.tif 000002
【特許請求の範囲】
【請求項１】
平坦な床面周りに配置された立壁部を有する屋根に太陽光パネルを設置するために用いられる太陽光パネル設置用架台であって、
棒状の脚部を下部に備え、該脚部の延出方向が前記床面に沿うように前記床面上に載置される架台本体と、
前記延出方向における前記脚部の両端の各々から前記立壁部に向かって突出し、先端位置が前記延出方向に沿って調整可能となった突出部と、を備え、
前記両端の各々から突出した前記突出部のうち、一方の突出部の前記先端位置は、前記立壁部中、前記一方の突出部と対向する第１対向面を押圧する位置に調整され、他方の突出部の前記先端位置は、前記立壁部中、前記床面を挟んで前記第１対向面とは反対の位置で前記他方の突出部と対向する第２対向面を押圧する位置に調整されていることを特徴とする太陽光パネル設置用架台。
【請求項２】
前記屋根が前記立壁部としてのパラペットを有する陸屋根であるときに、前記一方の突出部の前記先端位置は、緩衝材を介して前記パラペット中の前記第１対向面と当接する位置に調整され、前記他方の突出部の前記先端位置は、緩衝材を介して前記パラペット中の前記第２対向面と当接する位置に調整されていることを特徴とする請求項１に記載の太陽光パネル設置用架台。
【請求項３】
前記突出部は、前記両端の各々に対して着脱自在となったアジャスタであることを特徴とする請求項１又は２に記載の太陽光パネル設置用架台。
【請求項４】
前記太陽光パネル設置用架台が前記屋根に据え付けられた状態では、前記脚部の位置ずれが重り部材からの荷重によって規制されていることを特徴とする請求項１乃至３のいずれか一項に記載の太陽光パネル設置用架台。
【請求項５】
前記延出方向における前記脚部の両端部のうち、少なくとも一つの端部は、前記延出方向に沿って伸縮可能であり、
前記少なくとも一つの端部の長さは、前記延出方向における前記第１対向面と前記第２対向面との間隔に応じた長さに調整されていることを特徴とする請求項１乃至４のいずれか一項に記載の太陽光パネル設置用架台。
【請求項６】
平坦な床面周りに配置された立壁部を有する屋根に太陽光パネル設置用架台を据え付ける方法であって、
棒状の脚部を下部に備えた架台本体を、前記脚部の延出方向が前記床面に沿うように前記床面上に載置する工程と、
前記架台本体を前記床面上に載置した後に、前記延出方向における前記脚部の両端の各々から前記立壁部に向かって突出した突出部のそれぞれの先端位置を調整する工程と、を備え、
前記突出部の前記先端位置を調整する工程では、前記両端の各々から突出した前記突出部のうち、一方の突出部の前記先端位置を、前記立壁部中、前記一方の突出部と対向する第１対向面を押圧する位置に調整し、他方の突出部の前記先端位置を、前記立壁部中、前記床面を挟んで前記第１対向面とは反対の位置で前記他方の突出部と対向する第２対向面を押圧する位置に調整することを特徴とする太陽光パネル設置用架台を据え付ける方法。
【請求項７】
前記屋根が前記立壁部としてのパラペットを有する陸屋根であるときに、前記突出部の前記先端位置を調整する工程では、前記一方の突出部の前記先端位置を、緩衝材を介して前記パラペット中の前記第１対向面と当接する位置に調整し、前記他方の突出部の前記先端位置を、緩衝材を介して前記パラペット中の前記第２対向面と当接する位置に調整することを特徴とする請求項６に記載の太陽光パネル設置用架台を据え付ける方法。
【請求項８】
前記架台本体を前記床面上に載置してから前記突出部の前記先端位置を調整するまでの間に、前記両端の各々に対して着脱自在となった前記突出部としてのアジャスタを、前記両端の各々に組み付けることを特徴とする請求項６又は７に記載の太陽光パネル設置用架台を据え付ける方法。
【請求項９】
前記突出部の前記先端位置を調整した後に、前記脚部の位置ずれを重り部材からの荷重によって規制する位置に前記重り部材を配置することを特徴とする請求項６乃至８のいずれか一項に記載の太陽光パネル設置用架台を据え付ける方法。
【請求項１０】
前記架台本体を前記床面上に載置してから前記突出部の前記先端位置を調整するまでの間に、前記延出方向における前記脚部の両端部のうち、前記延出方向に沿って伸縮可能となった少なくとも一つの端部の長さを、前記延出方向における前記第１対向面と前記第２対向面との間隔に応じた長さに調整することを特徴とする請求項６乃至９のいずれか一項に記載の太陽光パネル設置用架台を据え付ける方法。
【発明の詳細な説明】
【技術分野】
【０００１】
本発明は、太陽光パネル設置用架台、及び、太陽光パネル設置用架台を据え付ける方法に係り、特に、平坦な床面周りに配置された立壁部を有する屋根に太陽光パネルを設置するために用いられる太陽光パネル設置用架台、及び、当該太陽光パネル設置用架台を据え付ける方法に関する。
【背景技術】
【０００２】
陸屋根等の平坦な床面を有する屋根に太陽光パネルを設置するために用いられる架台は、床面に対して固定させておく必要がある。その具体的手段としては、屋根の床面にアンカーボルト等を打ち込み、このアンカーボルトによって架台を固定する方法が考えられる。ただし、この方法では、アンカーボルトの打ち込みによって床面に施された防水層が損傷するので、架台据え付け後に改めて床面の防水処理を行うこととなる。以上のように屋根の床面にアンカーボルトを打ち込む場合には作業の手間が掛かり、その分、施工費用が嵩んでしまう。
【０００３】
これに対して、近年、陸屋根の床面を囲うパラペット（立壁部）を利用して太陽光パネル設置用架台を固定させる技術が開発されている（例えば、特許文献１乃至４参照）。特許文献１では、パラペットに対してアンカーボルトを打ち込み、このアンカーボルトとナットによって太陽光パネル設置用架台を固定している。特許文献２では、架台からパラペットの外側まで延出するアームを設け、当該アームがアジャスタを介してパラペットに固定されている。特許文献３では、パラペットにベース部材を固定し、このベース部材に架台を締結させている。特許文献４では、架台を陸屋根の床面に載置するとともに、太陽光パネルが周囲に脱落するのを防止するために用いられるワイヤやスプリング又はパイプがパラペットに接合されている。
【先行技術文献】
【特許文献】
【０００４】
【特許文献１】特許第５００８８９１号公報
【特許文献２】特許第５０６９４４０号公報
【特許文献３】実用新案登録第３１６０５６５号公報
【特許文献４】実用新案登録第３１６６９５８号公報
【発明の概要】
【発明が解決しようとする課題】
【０００５】
以上までに説明した特許文献１乃至４に記載の技術によれば、パラペットを利用するので、床面に形成された防水層を傷めずに太陽光パネル設置用架台を据え付けることが可能となる。しかしながら、特許文献１乃至４の各々に記載の技術では、架台固定用のアンカーボルトやベース部材等をパラペットに固定することになっており、そのために、墨出し等、パラペットにおけるアンカーボルト等の固定位置を決めておく作業を行うことになり、その分、当該作業の手間を要することとなる。一方で、太陽光パネル設置用架台の据え付けについては、より容易であることが望ましく、上述した墨出し等の手間を要さない据え付け方法が求められている。
【０００６】
そこで、本発明は、上記の問題に鑑みてなされたものであり、その目的は、パラペット（立壁部）を有する屋根に容易に据え付けることが可能な太陽光パネル設置用架台を提供することにある。同様に、本発明の目的は、パラペット（立壁部）を有する屋根に太陽光パネル設置用架台を容易に据え付ける方法を提供することにある。
【課題を解決するための手段】
【０００７】
前記課題は、本発明の太陽光パネル設置用架台によれば、平坦な床面周りに配置された立壁部を有する屋根に太陽光パネルを設置するために用いられる太陽光パネル設置用架台であって、棒状の脚部を下部に備え、該脚部の延出方向が前記床面に沿うように前記床面上に載置される架台本体と、前記延出方向における前記脚部の両端の各々から前記立壁部に向かって突出し、先端位置が前記延出方向に沿って調整可能となった突出部と、を備え、前記両端の各々から突出した前記突出部のうち、一方の突出部の前記先端位置は、前記立壁部中、前記一方の突出部と対向する第１対向面を押圧する位置に調整され、他方の突出部の前記先端位置は、前記立壁部中、前記床面を挟んで前記第１対向面とは反対の位置で前記他方の突出部と対向する第２対向面を押圧する位置に調整されていることにより解決される。
【０００８】
以上の構成では、架台本体の下部に設けられた脚部の両端から突出した突出部の先端位置が、それぞれ、立壁部の対向面を押圧する位置に調整されている。すなわち、突出部を含む架台本体の脚部が立壁部のうち、床面を挟んで互いに反対側に位置する部分によって挟み込まれ、これにより、太陽光パネル設置用架台全体が床面に対して固定されるようになる。したがって、本発明の太陽光パネル設置用架台であれば、立壁部にアンカーボルト等を固定することなく容易に床面に対して固定することが可能となる。
【０００９】
また、上記の太陽光パネル設置用架台において、前記屋根が前記立壁部としてのパラペットを有する陸屋根であるときに、前記一方の突出部の前記先端位置は、緩衝材を介して前記パラペット中の前記第１対向面と当接する位置に調整され、前記他方の突出部の前記先端位置は、緩衝材を介して前記パラペット中の前記第２対向面と当接する位置に調整されていると、より好適である。
上記の構成では、架台本体の下部に設けられた脚部の両端から突出した突出部の先端位置が、それぞれ、立壁部の対向面と当接する位置に調整されている。これにより、架台本体の脚部が立壁部のうち、床面を挟んで互いに反対側に位置する部分の間に挟み込まれている状態、すなわち、太陽光パネル設置用架台が床面に対して固定された状態を良好に保持することが可能となる。また、立壁部と突出部との間には緩衝材が介在しているので、外気温の変化に起因した脚部の収縮や膨張が生じたとしても、当該収縮や膨張が架台の固定状態に対して及ぼす影響を抑えることが可能となる。
【００１０】
また、上記の太陽光パネル設置用架台において、前記突出部は、前記両端の各々に対して着脱自在となったアジャスタであると、より一層好適である。
上記の構成では、着脱自在なアジャスタを突出部として用いることで、本発明の太陽光パネル設置用架台を容易に実現することが可能となる。
【００１１】
また、上記の太陽光パネル設置用架台において、前記太陽光パネル設置用架台が前記屋根に据え付けられた状態では、前記脚部の位置ずれが重り部材からの荷重によって規制されていると、さらに好適である。
上記の構成では、本発明の効果がより有意義なものとなる。すなわち、重り部材の荷重のみを利用して太陽光パネル設置用架台を固定する構成では、比較的に重量が大きな重り部材を用意することになる。これに対して、本発明の構成では、太陽光パネル設置用架台を固定するにあたり、重り部材を用いるともに、前述した突出部の機能を利用する。このように突出部の機能を併用することで重り部材が軽量化され、結果して、重り部材の運搬作業が容易になる。
【００１２】
また、上記の太陽光パネル設置用架台において、前記延出方向における前記脚部の両端部のうち、少なくとも一つの端部は、前記延出方向に沿って伸縮可能であり、前記少なくとも一つの端部の長さは、前記延出方向における前記第１対向面と前記第２対向面との間隔に応じた長さに調整されていると、益々好適である。
上記の構成では、突出部の先端位置が調整可能であるとともに、脚部自体の長さについても調整可能である。かかる構成において、立壁部の第１対向面及び第２対向面の間隔に応じて脚部自体の長さを調整すれば、上記の間隔が変わったとしても、本発明の太陽光パネル設置用架台を屋根の床面に対して良好に固定することが可能となる。すなわち、上記の構成によれば、本発明の太陽光パネル設置用架台の汎用性が向上し、サイズが異なる屋根に太陽光パネルを設置する場合にも柔軟に対応することが可能となる。
【００１３】
また、前述の課題は、本発明の太陽光パネル設置用架台を据え付ける方法によれば、平坦な床面周りに配置された立壁部を有する屋根に太陽光パネル設置用架台を据え付ける方法であって、棒状の脚部を下部に備えた架台本体を、前記脚部の延出方向が前記床面に沿うように前記床面上に載置する工程と、前記架台本体を前記床面上に載置した後に、前記延出方向における前記脚部の両端の各々から前記立壁部に向かって突出した突出部のそれぞれの先端位置を調整する工程と、を備え、前記突出部の前記先端位置を調整する工程では、前記両端の各々から突出した前記突出部のうち、一方の突出部の前記先端位置を、前記立壁部中、前記一方の突出部と対向する第１対向面を押圧する位置に調整し、他方の突出部の前記先端位置を、前記立壁部中、前記床面を挟んで前記第１対向面とは反対の位置で前記他方の突出部と対向する第２対向面を押圧する位置に調整することにより解決される。
上記の方法によれば、立壁部にアンカーボルト等を固定することなく太陽光パネル設置用架台を容易に床面に対して固定することが可能となる。
【００１４】
また、上記の太陽光パネル設置用架台を据え付ける方法において、前記屋根が前記立壁部としてのパラペットを有する陸屋根であるときに、前記突出部の前記先端位置を調整する工程では、前記一方の突出部の前記先端位置を、緩衝材を介して前記パラペット中の前記第１対向面と当接する位置に調整し、前記他方の突出部の前記先端位置を、緩衝材を介して前記パラペット中の前記第２対向面と当接する位置に調整すると、より好適である。
上記の方法によれば、太陽光パネル設置用架台の固定状態が良好に保持されるとともに、外気温の変化に起因した脚部の収縮や膨張が架台の固定状態に対して及ぼす影響を抑えることが可能となる。
【００１５】
また、上記の太陽光パネル設置用架台を据え付ける方法において、前記架台本体を前記床面上に載置してから前記突出部の前記先端位置を調整するまでの間に、前記両端の各々に対して着脱自在となった前記突出部としてのアジャスタを、前記両端の各々に組み付けると、より一層好適である。
上記の方法によれば、突出部を備えた太陽光パネル設置用架台を容易に組み立てることが可能である。
【００１６】
また、上記の太陽光パネル設置用架台を据え付ける方法において、前記突出部の前記先端位置を調整した後に、前記脚部の位置ずれを重り部材からの荷重によって規制する位置に前記重り部材を配置すると、さらに好適である。
上記の方法によれば、前述した突出部の機能と重り部材の荷重とを併用して太陽光パネル設置用架台を固定する。これにより、重り部材が軽量化され、重り部材の運搬作業が容易になる。
【００１７】
また、上記の太陽光パネル設置用架台を据え付ける方法において、前記架台本体を前記床面上に載置してから前記突出部の前記先端位置を調整するまでの間に、前記延出方向における前記脚部の両端部のうち、前記延出方向に沿って伸縮可能となった少なくとも一つの端部の長さを、前記延出方向における前記第１対向面と前記第２対向面との間隔に応じた長さに調整すると、益々好適である。
上記の方法によれば、立壁部の第１対向面及び第２対向面の間隔に応じて脚部自体の長さを調整することで、上記の間隔が変わったとしても、太陽光パネル設置用架台を屋根の床面に対して良好に固定することが可能となる。この結果、サイズが異なる屋根に太陽光パネルを設置する場合にも柔軟に対応し得るようになる。
【発明の効果】
【００１８】
本発明によれば、屋根の立壁部にアンカーボルト等を固定させることなく、立壁部を利用して太陽光パネル設置用架台を容易に床面に対して固定することが可能となる。これにより、架台設置作業の工期や作業量が抑えられ、作業コストの削減を図ることが可能となる。さらに、上記の効果により架台の交換やメンテナンスも容易に行えるようになるので、太陽光パネル及び架台を含む設備の維持費用を削減することも可能となる。
【図面の簡単な説明】
【００１９】
【図１】本発明の一実施形態に係る太陽光パネル設置用架台の利用状態を示す図である。
【図２】本発明の一実施形態に係る太陽光パネル設置架台の側面図である。
【図３】太陽光パネルの設置パターンに関する変形例を示す図である（その１）。
【図４】太陽光パネルの設置パターンに関する変形例を示す図である（その２）。
【図５】架台本体の脚部の先端部分及びアジャスタを示す図である。
【図６】アジャスタの組み付け状態を示す断面図である。
【図７】本発明の一実施形態に係る太陽光パネル設置用架台を据え付ける際の手順を示す図である（その１）。
【図８】本発明の一実施形態に係る太陽光パネル設置用架台を据え付ける際の手順を示す図である（その２）。
【図９】本発明の一実施形態に係る太陽光パネル設置用架台を据え付ける際の手順を示す図である（その３）。
【図１０】本発明の一実施形態に係る太陽光パネル設置用架台を据え付ける際の手順を示す図である（その４）。
【発明を実施するための形態】
【００２０】
以下では本発明の一実施形態（以下、本実施形態）について図面を参照しながら説明する。なお、本実施形態は、本発明の理解を容易にするための一例に過ぎず、本発明を限定するものではない。本発明は、その趣旨を逸脱することなく、変更、改良され得るとともに、本発明にはその等価物が含まれることは勿論である。
【００２１】
本実施形態に係る太陽光パネル設置用架台（以下、本架台）１は、図１に示すように、建物の陸屋根１００に太陽光パネルＰを設置するために用いられるものである。陸屋根１００とは、略水平面となった平坦な床面１０１と、その周りに配置された立壁部としてのパラペット１０２と、を有する屋根である。なお、本実施形態では、床面１０１が平面視で略矩形状となっており、パラペット１０２が上記床面１０１の四方を囲んで設けられていることとする。
【００２２】
本架台１は、自重式の架台であって、アンカーボルト等の固定具を床面１０１に打ち込むことなく、床面１０１に対して適切に固定することが可能である。そして、本架台１は、その固定方法に特徴を有するものである。かかる固定方法について説明するにあたり、先ず、本架台１の概略構成について説明することとする。
【００２３】
本架台１は、図１に示すように、略三角柱状のフレームからなる架台本体２と、突出部としてのアジャスタ１１と、を構成要素とする。また、本架台１の付属部品としてトレー２１と重り部材２２とが用いられる。
【００２４】
なお、図１には、２つの架台本体２を所定方向に並べて連結させた構成を図示しており、以下では、同図に図示された構成を例に挙げて説明することとする。ただし、配置される架台本体２の台数については、２つに限定されるものではなく任意に設定することが可能である。また、架台本体２の配置パターンについては、図２に示すように太陽光パネルＰの受光面が向く向きがパネル間で揃ったパターンとしてもよい。あるいは、図３に示すように受光面同士が互いに反対側を向いたパターン、若しくは、図４に示すように受光面同士が対向し合うパターンとしてもよい。
【００２５】
本架台１の構造について説明すると、一定間隔を空けて配置された一対の側方架台３と、側方架台３間を連結するように組み付けられる可動レール２０とによって構成されている。側方架台３は、略三角形状に組み立てられた鋼材からなり、具体的には、互いに直交した状態で組み付けられた前方部４及び後方部５、並びに、側方架台３の下部に設けられた脚部６を有する。
【００２６】
前方部４は、その上面にて可動レール２０を支持する角筒部材である。本実施形態では、前方部４の延出方向において可動レール２０の支持位置を移動させることが可能となっている。より具体的に説明すると、前方部４の上面には直線状のスリットが前方部４の延出方向に沿って形成されている。このスリット内にレールクランプ２３の下端部が入り込んだ状態で、レールクランプ２３が前方部４の上面に取り付けられる。そして、前方部４の上面に取り付けられたレールクランプ２３に可動レール２０が係合することにより、可動レール２０が前方部４の上面に組み付けられるようになる。一方、レールクランプ２３は、上記のスリットに沿ってスライド移動することが可能である。ゆえに、レールクランプ２３に係合された可動レール２０もレールクランプ２３のスライド移動に伴って移動するようになる。
【００２７】
後方部５は、前方部４を支えるＣ形鋼であり、その上端部は、前方部４の上端部と連結している。脚部６は、長尺棒状の部材、厳密には角筒部材からなり、架台本体２が床面１０１上に載置された際にはその延出方向が床面１０１に沿うようになる。より具体的に説明すると、図１に示すように脚部６には２つの台座７がボルト止めされている。当該２つの台座７は、間隔を空けて脚部６に取り付けられており、また、一方の台座７には前方部４の下端部が、他方の台座７には後方部５の下端部が、それぞれボルト止めされている。
【００２８】
なお、本実施形態で用いられる台座７は、ベースプレートの上面にＨ形の鋼材を接合した形状となっており、通常、ベースプレートの下面にガスケットが敷かれた状態で床面１０１上に載置される。また、台座７の一部をなすＨ型の鋼材の上端部に前方部４や後方部５の下端部が固定されている。一方、Ｈ型の鋼材とベースプレートとによって囲まれる略直方体状のスペース内に脚部６が挿入され、Ｈ型の鋼材の下端部が脚部６にボルト止めされている。
【００２９】
また、本実施形態では、前述したように２つの架台本体２が所定方向に並べられた状態で連結している。かかる機器配置を実現するにあたり、図１に示すように脚部６が一直線状に連なるように各架台本体２が配置され、各架台本体２の脚部６に取り付けられた台座７のうち、互いに隣り合う位置にある台座７同士を連結部８によって連結する。なお、連結部８は、台座７同士を連結するにあたり、当該台座７を構成するＨ型の鋼材とベースプレートとによって囲まれた略直方体状のスペース内に挿入され、Ｈ型の鋼材の下端部にボルト止めされる。
【００３０】
以上のように複数の架台本体２を所定方向に並べた状態で配置する構成では、各架台本体２の脚部６が連結部８を介して連結するようになる。なお、以下の説明では、上記の構成において連結した一群の脚部６（連結部８を含む）を一つの脚部６とみなすこととする。
【００３１】
脚部６について更に説明すると、その延出方向に沿って伸縮自在に構成されている。かかる構成について詳しく説明すると、本実施形態に係る脚部６は、その本体部分である脚部本体６ａと、脚部６の延出方向両端部の各々に設けられた延長部６ｂと、を有している。この延長部６ｂは、パラペット１０２により近い位置にある台座７に固定されており、当該台座７を介して脚部本体６ａと連結されている。より具体的に説明すると、延長部６ｂは、角筒部材となっており、台座７を構成するＨ型の鋼材とベースプレートとによって囲まれた略直方体状のスペース内に挿入され、Ｈ型の鋼材の下端部にボルト止めされることで脚部本体６ａと連結している。
【００３２】
また、脚部６は、図５に示すように、延長部６ｂよりも一回り大きい角筒からなるスライドパイプ１０を有している。このスライドパイプ１０は、図５に示すように、その内側空間に延長部６ｂを嵌合させた状態で延長部６ｂの外表面に沿ってスライド移動することが可能である。かかるスライドパイプ１０のスライド移動により、脚部６の延出方向端部が延出方向に沿って伸縮し、この結果、当該端部の長さが調整される。
【００３３】
なお、スライドパイプ１０がスライド移動する範囲については、図５に図示されたストッパ９によって規制されている。このストッパ９は、延長部６ｂの外周面に取り付けられたリング状のバンド体であり、頂部に設けられた調整ネジ９ａを締め付けることで延長部６ｂに対して固定され、調整ネジ９ａを緩めることで延長部６ｂの外周面上をスライド移動することが可能である。そして、スライドパイプ１０の延出方向端面がストッパ９の延出方向端面（スライドパイプ１０との対向する側の端面）により係止されることで、同一向きへのスライドパイプ１０の更なるスライド移動が規制される。
【００３４】
以上のように本実施形態では脚部６の延長方向両端部が伸縮自在に構成されている。なお、本実施形態の構成には限定されず、脚部６の延長方向両端部のうち、一方の端部のみが伸縮自在であることとしてもよい。
【００３５】
可動レール２０は、その上面に太陽光パネルＰが取り付けられる長尺体であり、側方架台３の前方部４間に架け渡され、前方部４に取り付けられたレールクランプ２３と係合することで前方部４の上面に組み付けられる。なお、前述したように、レールクランプ２３は前方部４の延出方向に沿ってスライド移動することが可能であり、これに伴って可動レール２０の位置も移動する。このように可動レール２０の位置が前方部４の延出方向に沿って調整自在となっていることで、太陽光パネルＰのサイズに応じて可動レール２０の位置を調整することが可能となる。すなわち、本架台１は、可動レール２０の位置が調整自在となった構成により、各種のパネルサイズに対して柔軟に対応し得るようになっている。
【００３６】
次に、本架台１の特徴部であるアジャスタ１１について説明する。アジャスタ１１は、脚部６の延出方向両端の各々に取り付けられ、各端からパラペット１０２に向かって突出した部材である。また、本実施形態に係るアジャスタ１１は、脚部６の延出方向両端の各々に対して着脱自在となっており、本架台１の据え付け工事中、架台本体２を床面１０１上に載置した後に取り付けられる。
【００３７】
ここで、アジャスタ１１の構成について、図５及び図６を参照しながら説明すると、アジャスタ１１は、取り付けキャップ１５と、取り付けキャップ１５に形成されたネジ孔１６に挿入された軸部１３と、軸部１３に係合する調整ナット１２と、軸部１３の先端部に取り付けられた押圧部１４と、を有する。
【００３８】
取り付けキャップ１５は、スライドパイプ１０の延出方向一端、厳密には延長部６ｂが挿入されている側とは反対側の端に形成された開口に嵌まり込んだキャップ部材であり、若干の厚みを有する。また、取り付けキャップ１５の中央部分には、貫通孔としてのネジ孔１６が穿設されており、ネジ孔１６の外周面には雌ネジが形成されている。このネジ孔１６には、外周面に雄ネジが形成された軸部１３が挿入され、その雄ネジがネジ孔１６の雌ネジと螺合している。
【００３９】
軸部１３は、脚部６の延出方向に沿って延出しており、その一部は、図６に示すように取り付けキャップ１５よりも外側に突出している。ここで、軸部１３の突出量は、脚部６の延出方向に沿って調整可能となっている。換言すると、軸部１３の先端部に取り付けられた押圧部１４の先端位置は、脚部６の延出方向に沿って調整可能となっている。具体的に説明すると、図６に示すように、軸部１３の中途位置には調整ナット１２が嵌合している。軸部１３の突出量は、調整ナット１２の座面が取り付けキャップ１５の外表面に当接しているときには固定されているが、調整ナット１２を操作して座面を取り付けキャップ１５の外表面から離間させることで調整可能となる。そして、軸部１３の突出量が調整されることで、軸部１３の先端位置、厳密には押圧部１４の先端位置が脚部６の延出方向に沿って移動することとなる。
【００４０】
軸部１３の先端部に設けられた押圧部１４は、略半球状の部材であり、その先端は、円状の平面となっている。なお、押圧部１４の材質については、特に制限がなく、ゴム、樹脂及び金属をはじめとする各種材料を利用することが可能である。
【００４１】
以上のように構成されたアジャスタ１１は、上述したように脚部６の延出方向両端に取り付けられる。そして、取り付け後の状態では、軸部１３が当該脚部６の延出方向各端からパラペット１０２に向かって突出しており、図１や図２等に示すように、軸部１３の先端部分に設けられた押圧部１４の先端面が、パラペット１０２の内壁面に対向している。
【００４２】
そして、本実施形態では、本架台１を床面１０１に対して固定するにあたり、脚部６の延出方向両端の各々から突出したアジャスタ１１の軸部１３について、それぞれの突出量が調整される。具体的に説明すると、２つのアジャスタ１１のうち、一方のアジャスタ１１については、その軸部１３の先端部に設けられた押圧部１４の先端位置が、パラペット１０２中の第１対向面１０３を押圧する位置に調整される。ここで、第１対向面１０３とは、パラペット１０２の内壁面のうち、一方のアジャスタ１１と対向する部分、厳密には、軸部１３の先端部に設けられた押圧部１４の先端面と対向する部分である。
【００４３】
また、押圧部１４の先端位置がパラペット１０２中の第１対向面１０３を押圧する位置とは、図６に示すように押圧部１４が第１対向面１０３と当接する位置のことである。より厳密に説明すると、本実施形態では、押圧部１４と第１対向面１０３との間には緩衝材としてのゴムプレート１７が介在する。したがって、一方のアジャスタ１１の軸部１３の先端部に設けられた押圧部１４の先端位置は、ゴムプレート１７を介して第１対向面１０３と当接する位置に調整されることとなる。
【００４４】
また、同様に、もう一方（他方）のアジャスタ１１についても、その軸部１３の先端部に設けられた押圧部１４の先端位置が、パラペット１０２中の第２対向面１０４を押圧する位置に調整される。ここで、第２対向面１０４とは、パラペット１０２の内壁面のうち、床面１０１を挟んで第１対向面１０３とは反対の位置で他方のアジャスタ１１の軸部１３の先端部に設けられた押圧部１４の先端面と対向する部分である。また、押圧部１４の先端位置がパラペット１０２中の第２対向面１０４を押圧する位置とは、当該押圧部１４が第２対向面１０４と当接する位置のことであり、より厳密には、当該押圧部１４の先端がゴムプレート１７を介して第２対向面１０４と当接する位置である。
【００４５】
なお、本実施形態では、アジャスタ１１の軸部１３の先端部に設けられた押圧部１４とパラペット１０２との間に緩衝材を介在させることとしたが、これに限定されるものではなく、押圧部１４の先端が直接パラペット１０２に当接することとしてもよい。
【００４６】
以上のように本実施形態では、脚部６の両端から突出したアジャスタ１１の軸部１３の先端位置、厳密には押圧部１４の先端位置がパラペット１０２の対向面と当接する位置に調整される。これにより、軸部１３を含む架台本体２の脚部６が、パラペット１０２のうち、床面１０１を挟んで互いに反対側に位置する部分によって挟み込まれ、当該部分の間で突っ張った状態を保持するようになる。これにより、本架台１は、パラペット１０２にアンカーボルト等を固定させることなく床面１０１に対して良好に固定されるようになる。
【００４７】
また、本実施形態では、本架台１を床面１０１に対して固定するにあたり、重り部材２２が使用される。具体的に説明すると、図１に示すように、やや幅広なトレー２１が、脚部６（厳密には、脚部本体６ａ）を跨ぐように配置されるとともに、コンクリートブロックからなる重り部材２２が、トレー２１のうち、脚部６の両脇に位置した部分の上に載置される。これにより、脚部６の位置ずれが重り部材２２からの荷重によって規制されるようになる。
【００４８】
以上のように本実施形態では重り部材２２からの荷重を利用して本架台１を床面１０１に対して固定している。ここで、重り部材２２からの荷重だけで本架台１の固定状態を保持しようとすると、比較的重量が大きい重り部材２２を用いることとなる。これに対して、本実施形態では、上述したように脚部６の延出方向両端に取り付けられたアジャスタ１１を併用して、本架台１の固定状態を保持する。これにより、重り部材２２からの荷重だけで本架台１の固定状態を保持する場合と比較して、より軽量化された重り部材２２を用いることが可能となる。
【００４９】
さらに、本実施形態では、アジャスタ１１の軸部１３の先端部に設けられた押圧部１４は、緩衝材としてのゴムプレート１７を介してパラペット１０２と当接している。これにより、外気温の変化に起因して脚部６に熱収縮や熱膨張が生じたとしても、当該収縮や膨張が本架台１の固定状態に対して及ぼす影響を、ゴムプレート１７の弾性変形によって相殺して抑えることが可能となる。
【００５０】
次に、以上までに説明してきた本架台１について、その据え付け方法について図７乃至図１０を参照しながら説明する。本架台１を据え付ける方法は、本発明の太陽光パネル設置用架台を据え付ける方法に相当し、本架台１の据え付け工事において採用されている。当該据え付け工事は、先ず架台本体２を陸屋根１００の床面１０１上に載置する工程から始まる。より具体的に説明すると、一対の側方架台３を互いに離した状態で配置する。このとき、脚部６の延出方向が床面１０１に沿うように各側方架台３を配置する。その後、各側方架台３中、前方部４の上面にレールクランプ２３を取り付け、さらに、当該レールクランプ２３に可動レール２０を係合させる。これにより、可動レール２０が前方部４の間に架け渡された状態で各側方架台３に組み付けられる。以上までの作業が完了した時点で架台本体２の載置作業が完了する。
【００５１】
なお、載置作業が完了した時点での架台本体２は、図７に図示された状態にあり、かかる状態では、各側方架台３の脚部６の延出方向端部には未だアジャスタ１１が組み付けられていない。ただし、これに限定されず、載置作業が完了した時点で既にアジャスタ１１が脚部６の延出方向端部に組み付けられていることとしてもよい。
【００５２】
また、本実施形態では、２つの架台本体２を所定方向に並べて配置することとしており、そのために、各架台本体２中、側方架台３の脚部６が一直線状に連なるように各架台本体２を配置する。その後、各架台本体２の脚部６に取り付けられた台座７のうち、互いに隣り合う位置にある台座７同士の間を連結部８によって連結する。
【００５３】
架台本体２を床面１０１上に載置した後には、必要に応じて、各側方架台３の脚部６の延出方向端部を伸縮させ、当該端部の長さを適当な長さに調整する。具体的に説明すると、脚部６のうち、延長部６ｂに取り付けられたストッパ９の調整ネジ９ａを緩めてストッパ９の位置を調整するとともに、延長部６ｂの外周面に沿ってスライドパイプ１０をスライド移動させる。これにより、脚部６の延出方向端部の長さが適当な長さに調整されることとなる。ここで、調整時の目標となる長さは、パラペット１０２のうち、脚部６を挟み込んだ位置にある部分の間の距離、すなわち、第１対向面１０３及び第２対向面１０４との間隔に応じた長さである。より具体的に説明すると、アジャスタ１１を含む脚部６の全長をアジャスタ１１による調整によって上記間隔と等しくすることが可能となる長さに調整される。
【００５４】
以上のようにパラペット１０２の第１対向面１０３及び第２対向面１０４の間隔に応じてアジャスタ１１を含む脚部６の全長を調整すれば、例え上記の間隔が変わったとしても本架台１を床面１０１に対して良好に固定することが可能となる。つまり、本実施形態では、各脚部６の延出方向端部が伸縮自在となっていることで、サイズが異なる屋根に太陽光パネルＰを設置する場合にも柔軟に対応することが可能である。
【００５５】
その後、図８に示すように、脚部６の延出方向両端の各々にアジャスタ１１を組み付ける工程を行う。アジャスタ１１の組み付けが完了した後には、各アジャスタ１１の軸部１３の突出量を変え、その先端部に設けられた押圧部１４の先端位置を調整する工程を行う。具体的には、図９に示すように、軸部１３の中途位置に係合された調整ナット１２を軸部１３周りに回転させ、その座面を取り付けキャップ１５の外表面から離間させた上で軸部１３を回転させる。これにより、軸部１３のうち、取り付けキャップ１５の表面よりも外側に突出した部分の長さが変化し、これによって押圧部１４の先端位置が脚部６の延出方向に沿って移動するようになる。
【００５６】
そして、本実施形態では押圧部１４の先端位置を調整する際、一方のアジャスタ１１の軸部１３の先端部に設けられた押圧部１４の先端位置を、ゴムプレート１７を介してパラペット１０２中の第１対向面１０３と当接する位置に調整する。また、同様に、他方のアジャスタ１１の軸部１３の先端部に設けられた押圧部１４の先端位置を、ゴムプレート１７を介してパラペット１０２中の第２対向面１０４と当接する位置に調整する。
【００５７】
以上までの作業が完了すると、アジャスタ１１を含む脚部６がパラペット１０２のうち、床面１０１を挟んで互いに反対側に位置する部分によって挟み込まれ、本架台１全体が床面１０１に対して固定されるようになる。
【００５８】
各アジャスタ１１における押圧部１４の先端位置を調整した後には、脚部６中の脚部本体６ａを跨ぐ位置にトレー２１を敷く。その上で、図１０に示すように、トレー２１のうち、脚部６の両脇に位置する部分の上に重り部材２２を載置する。これにより、脚部６の位置ずれが重り部材２２からの荷重によって規制されるようになる。なお、前述したように、本実施形態では、より軽量化された重り部材２２を用いることが可能となるので、重り部材２２の運搬作業が比較的容易に行われるようになる。
【００５９】
そして、重り部材２２の配置作業が終了した時点で、本架台１の据え付け工事に係る一連の作業が完了する。以上までに説明してきたように、本架台１であれば、床面１０１に対して固定するにあたり、パラペット１０２にアンカーボルト等を固定する代わりに、アジャスタ１１を操作して当該アジャスタ１１の先端をパラペット１０２に当接させればよい。この結果、架台設置作業が容易になり、その工期や作業量が抑えられ、以て作業コストが削減されることとなる。さらに、上記の効果により架台の交換やメンテナンスも容易に行えるようになるので、太陽光パネルＰ及び架台を含む設備の維持費用を削減することも可能となる。
【符号の説明】
【００６０】
１  本架台（太陽光パネル設置用架台）
２  架台本体
３  側方架台
４  前方部
５  後方部
６  脚部
６ａ  脚部本体
６ｂ  延長部
７  台座
８  連結部
９  ストッパ
９ａ  調整ネジ
１０  スライドパイプ
１１  アジャスタ
１２  調整ナット
１３  軸部
１４  押圧部
１５  取り付けキャップ
１６  ネジ孔
１７  ゴムプレート（緩衝材）
２０  可動レール
２１  トレー
２２  重り部材
２３  レールクランプ
１００  陸屋根（屋根）
１０１  床面
１０２  パラペット（立壁部）
１０３  第１対向面
１０４  第２対向面
Ｐ  太陽光パネル
【図１】
2015155624.tif 000003
【図２】
2015155624.tif 000004
【図３】
2015155624.tif 000005
【図４】
2015155624.tif 000006
【図５】
2015155624.tif 000007
【図６】
2015155624.tif 000008
【図７】
2015155624.tif 000009
【図８】
2015155624.tif 000010
【図９】
2015155624.tif 000011
【図１０】
2015155624.tif 000012